(57)【特許請求の範囲】
【請求項１】
内部に記憶されたＩＤ情報に基づいて、質問に対する応答を行う無線タグであって、
質問を送信する無線タグ管理装置と間において無線による通信を行う通信手段と、
現時点における自己の動作モードを記憶する記憶手段と、
動作モード毎の質問に対する応答内容を予め記憶した応答テーブルと、
前記通信手段を介して質問を受信する質問受信手段と、
前記質問受信手段において受信した質問を受け取った時点で、前記記憶手段に記憶されている動作モードを読み出し、この読み出した動作モードにおける前記質問に対する応答内容を前記応答テーブルから読み出し、前記通信手段を介してこの読み出した応答内容に基づく応答を送信する応答手段と
を備え、
前記記憶手段は、予め該無線タグに対して付与された一意の固定ＩＤと、任意に付与されるプライベートＩＤとを前記動作モードと共に記憶し、
前記応答テーブルは、動作モード毎の質問に対して、前記記憶手段に記憶されているＩＤ情報を返す、肯定の応答を行う、応答をしないのいずれかが予め記憶されていることを特徴とする無線タグ。
【請求項２】
前記無線タグは、
固定ＩＤ、プライベートＩＤ及び動作モードを受信し、受信した固定ＩＤ及びプライベートＩＤが前記記憶手段に記憶されているＩＤ情報と一致した場合のみに、前記記憶手段に記憶された動作モードを受信した動作モードに変更する情報書き込み手段をさらに備えたことを特徴とする請求項１に記載の無線タグ。
【請求項３】
前記無線タグは、
固定ＩＤ、プライベートＩＤ及び新たなプライベートＩＤを受信し、受信した固定ＩＤ及びプライベートＩＤが前記記憶手段に記憶されているＩＤ情報と一致した場合のみに、前記記憶手段に記憶されたプライベートＩＤを前記新たなプライベートＩＤに変更する情報書き込み手段をさらに備えたことを特徴とする請求項１に記載の無線タグ。
【請求項４】
内部に記憶されたＩＤ情報に基づいて、質問に対する応答を行うために、質問を送信する無線タグ管理装置と間において無線による通信を行う通信手段と、現時点における自己の動作モードを記憶する記憶手段と、動作モード毎の質問に対する応答内容を予め記憶した応答テーブルとを備えた無線タグにおいて動作する無線タグ応答プログラムであって、
前記通信手段を介して質問を受信する質問受信処理と、
前記質問受信処理において受信した質問を受け取った時点で、前記記憶手段に記憶されている動作モードを読み出し、この読み出した動作モードにおける前記質問に対する応答内容を前記応答テーブルから読み出し、前記通信手段を介してこの読み出した応答内容に基づく応答を送信する応答処理と
をコンピュータに行わせ、
前記記憶手段は、予め該無線タグに対して付与された一意の固定ＩＤと、任意に付与されるプライベートＩＤとを前記動作モードと共に記憶し、
前記応答テーブルは、動作モード毎の質問に対して、前記記憶手段に記憶されているＩＤ情報を返す、肯定の応答を行う、応答をしないのいずれかが予め記憶されていることを特徴とする無線タグ応答プログラム。
【請求項５】
前記無線タグ応答プログラムは、
固定ＩＤ、プライベートＩＤ及び動作モードを受信し、受信した固定ＩＤ及びプライベートＩＤが前記記憶手段に記憶されているＩＤ情報と一致した場合のみに、前記記憶手段に記憶された動作モードを受信した動作モードに変更する情報書き込み処理をさらにコンピュータに行わせることを特徴とする請求項４に記載の無線タグ応答プログラム。
【請求項６】
前記無線タグ応答プログラムは、
固定ＩＤ、プライベートＩＤ及び新たなプライベートＩＤを受信し、受信した固定ＩＤ及びプライベートＩＤが前記記憶手段に記憶されているＩＤ情報と一致した場合のみに、前記記憶手段に記憶されたプライベートＩＤを前記新たなプライベートＩＤに変更する情報書き込み処理をさらにコンピュータに行わせることを特徴とする請求項４に記載の無線タグ応答プログラム。
【発明の詳細な説明】
【技術分野】
【０００１】
本発明は、商品等に取り付けられる無線タグ内の情報の不正利用を防止する無線タグ、無線タグ管理装置及び無線タグ管理プログラムに関する。
【背景技術】
【０００２】
従来の無線タグは、応答要求を受けると無線タグに付与されている固有のＩＤを応答するのが一般的であるが、だれもが内部のＩＤを読み込むことが可能となるため、プライバシが侵害される可能性がある。これを解決するために、商品販売管理の処理が終了した時点で商品等に取り付けられた無線タグに対してキルコマンドを送信することにより内部のＩＤを使えなくする方法がある。しかしながら、無線タグ内のＩＤを使用できなくするということは、購入後の商品に無線タグが取り付けられていても意味が無く、無線タグの有効利用ができないという問題がある。
このような問題を解決するために、無線タグ内に暗号関数を組み込んでおき、暗号技術によってプライバシを保護する技術が知られている（非特許文献１）。
【非特許文献１】A.Juels and R.Pappu. Squealing Euros:Privacy Protection in RFID-Enabled Banknotes.In Financial Cryptography '03.2003.(http://www.rsasecurity.com/rsalabs/staff/bios/ajuels/publications/squealing-euros/index.html)
【発明の開示】
【発明が解決しようとする課題】
【０００３】
しかしながら、非特許文献１に示す技術にあっては、無線タグ内に暗号関数を組み込む必要があり、回路規模が大きくなるため製造コストが高くなるという問題がある。
【０００４】
本発明は、このような事情に鑑みてなされたもので、無線タグ内に暗号関数等の高価な回路構成を必要としない簡単な構成で、プライバシ保護を確実に行うことができる無線タグ、無線タグ管理装置及び無線タグ管理プログラムを提供することを目的とする。
【課題を解決するための手段】
【０００５】
本発明は、内部に記憶されたＩＤ情報に基づいて、質問に対する応答を行う無線タグであって、質問を送信する無線タグ管理装置と間において無線による通信を行う通信手段と、現時点における自己の動作モードを記憶する記憶手段と、動作モード毎の質問に対する応答内容を予め記憶した応答テーブルと、前記通信手段を介して質問を受信する質問受信手段と、前記質問受信手段において受信した質問を受け取った時点で、前記記憶手段に記憶されている動作モードを読み出し、この読み出した動作モードにおける前記質問に対する応答内容を前記応答テーブルから読み出し、前記通信手段を介してこの読み出した応答内容に基づく応答を送信する応答手段とを備えたことを特徴とする。
【０００６】
本発明は、前記記憶手段は、予め該無線タグに対して付与された一意の固定ＩＤと、任意に付与されるプライベートＩＤとを前記動作モードと共に記憶し、前記応答テーブルは、動作モード毎の質問に対して、前記記憶手段に記憶されているＩＤ情報を返す、肯定の応答を行う、応答をしないのいずれかが予め記憶されていることを特徴とする。
【０００７】
本発明は、前記無線タグは、固定ＩＤ、プライベートＩＤ及び動作モードを受信し、受信した固定ＩＤ及びプライベートＩＤが前記記憶手段に記憶されているＩＤ情報と一致した場合のみに、前記記憶手段に記憶された動作モードを受信した動作モードに変更する情報書き込み手段をさらに備えたことを特徴とする。
【０００８】
本発明は、前記無線タグは、固定ＩＤ、プライベートＩＤ及び新たなプライベートＩＤを受信し、受信した固定ＩＤ及びプライベートＩＤが前記記憶手段に記憶されているＩＤ情報と一致した場合のみに、前記記憶手段に記憶されたプライベートＩＤを前記新たなプライベートＩＤに変更する情報書き込み手段をさらに備えたことを特徴とする。
【０００９】
本発明は、無線タグとの間において通信を行う通信手段と、前記通信手段を介して、前記無線タグに対する質問を送信する質問送信手段と、前記質問に対する無線タグからの応答を受信する応答受信手段と、前記無線タグに対して、動作モードの設定またはＩＤ情報の書き込みを行う情報書き込み手段とを備えたことを特徴とする。
【００１０】
本発明は、内部に記憶されたＩＤ情報に基づいて、質問に対する応答を行うために、質問を送信する無線タグ管理装置と間において無線による通信を行う通信手段と、現時点における自己の動作モードを記憶する記憶手段と、動作モード毎の質問に対する応答内容を予め記憶した応答テーブルとを備えた無線タグにおいて動作する無線タグ応答プログラムであって、前記通信手段を介して質問を受信する質問受信処理と、前記質問受信処理において受信した質問を受け取った時点で、前記記憶手段に記憶されている動作モードを読み出し、この読み出した動作モードにおける前記質問に対する応答内容を前記応答テーブルから読み出し、前記通信手段を介してこの読み出した応答内容に基づく応答を送信する応答処理とをコンピュータに行わせることを特徴とする。
【００１１】
本発明は、前記記憶手段は、予め該無線タグに対して付与された一意の固定ＩＤと、任意に付与されるプライベートＩＤとを前記動作モードと共に記憶し、前記応答テーブルは、動作モード毎の質問に対して、前記記憶手段に記憶されているＩＤ情報を返す、肯定の応答を行う、応答をしないのいずれかが予め記憶されていることを特徴とする。
【００１２】
本発明は、前記無線タグ応答プログラムは、固定ＩＤ、プライベートＩＤ及び動作モードを受信し、受信した固定ＩＤ及びプライベートＩＤが前記記憶手段に記憶されているＩＤ情報と一致した場合のみに、前記記憶手段に記憶された動作モードを受信した動作モードに変更する情報書き込み処理をさらにコンピュータに行わせることを特徴とする。
【００１３】
本発明は、前記無線タグ応答プログラムは、固定ＩＤ、プライベートＩＤ及び新たなプライベートＩＤを受信し、受信した固定ＩＤ及びプライベートＩＤが前記記憶手段に記憶されているＩＤ情報と一致した場合のみに、前記記憶手段に記憶されたプライベートＩＤを前記新たなプライベートＩＤに変更する情報書き込み処理をさらにコンピュータに行わせることを特徴とする。
【００１４】
本発明は、無線タグとの間において通信を行う通信手段を備えた無線タグ管理装置において動作する無線タグ管理プログラムであって、前記通信手段を介して、前記無線タグに対する質問を送信する質問送信処理と、前記質問に対する無線タグからの応答を受信する応答受信処理と、前記無線タグに対して、動作モードの設定またはＩＤ情報の書き込みを行う情報書き込み処理とをコンピュータに行わせることを特徴とする。
【発明の効果】
【００１５】
この発明によれば、無線タグ内に暗号関数やハッシュ関数を組み込む必要がないため、無線タグの構成を簡単にすることができるという効果が得られる。また、書き換え可能なプライベートＩＤを内部に記憶するようにし、公になるＩＤをプライベートＩＤとしたため、プライバシの保護を確実に行うことが可能になるという効果が得られる。また、動作を制限する動作モードを設けたため、無線タグ内部の情報を不正利用することを防止することができるという効果が得られる。
【発明を実施するための最良の形態】
【００１６】
以下、本発明の一実施形態による無線タグ及び無線タグ管理装置を図面を参照して説明する。図１は同実施形態の構成を示すブロック図である。符号１は、商品等に取り付けられる無線タグである。符号２は、無線タグ１に対して、近距離の無線通信を使用して、情報の読み書きを行う無線タグ管理装置である。
【００１７】
符号１１は、無線タグ管理装置２との間で近距離の無線通信を行う通信部である。符号１２は、無線タグ管理装置２からの質問コマンドを受信する質問受信部である。符号１３は、質問コマンドに対する応答を送信する応答部である。符号１４は、情報を記憶する記憶部である。記憶部１４には、無線タグ１を一意に識別可能な固定ＩＤ１４ａと、予め設定された固定パスワード１４ｂと、現時点で設定されている動作モード１４ｃと、使用者が任意に設定することができるプライベートＩＤ１４ｄ、プライベートパスワード１４ｅとが記憶される。このうち、動作モード１４ｃ、プライベートＩＤ１４ｄ、プライベートパスワード１４ｅは、書き換えできるが、固定ＩＤ１４ａ、固定パスワード１４ｂは書き換えはできない。符号１５は、無線タグが有している動作モード毎に、質問に対する応答内容が定義された応答テーブルである。符号１６は、無線タグ管理装置２により、記憶部１４内の情報を書き込む情報書き込み部である。
【００１８】
符号２１は、無線タグ１との間で近距離の無線通信を行う通信部である。符号２２は、無線タグ１に対して、質問コマンドを送信する質問送信部である。符号２３は、無線タグ１からの応答を受信する応答受信部である。符号２４は、無線タグ１の記憶部１４に対して、情報の書き込みを指示する情報書き込み部である。符号２５は、質問に対する無線タグ１の応答内容に基づいて商品販売管理等の処理を行う情報処理部であり、外部のコンピュータ等の装置と接続されて使用する場合もある。符号２６は、キーボード等から構成される入力部である。
【００１９】
次に、図２を参照して、図１に示す応答テーブル１５のテーブル構造を説明する。無線タグ１は、「サイレントモード」、「プライベートモード」、「ノーマルモード」の３つの動作モードを有している。また、無線タグ管理装置２が送信する質問コマンドは、「プライベートＩＤは○○ですか？（○○は、ＩＤの値）」、「固定ＩＤは○○ですか？（○○は、ＩＤの値）」、「誰ですか？」の３つの質問コマンドが用意されている。応答テーブル１５には、３つの動作モード毎に、３つの質問コマンドのそれぞれに対する応答内容が定義されており、質問コマンドが「プライベートＩＤは○○ですか？」であった場合は、動作モードに関係なく、質問コマンドに含まれるプライベートＩＤと一致すれば「はい」の応答を返し、プライベートＩＤが一致しなければ「何も返さない」、すなわち応答しないことが定義されている。また、質問コマンドが「固定ＩＤは○○ですか？」であった場合は、「サイレントモード」、「プライベートモード」では、無条件に応答せず、「ノーマルモード」のときのみに、質問コマンドに含まれる固定ＩＤと一致すれば「はい」の応答を返し、固定ＩＤが一致しなければ応答しないことが定義されている。また、質問コマンドが「誰ですか？」であった場合、「サイレントモード」では、応答せず、「プライベートモード」では、プライベートＩＤを返し、「ノーマルモード」では、固定ＩＤを返すことが定義されている。
【００２０】
なお、図２においては、説明を簡単にするために、質問コマンド、動作モード及び応答内容を文字列で表現したが、各質問コマンド、動作モード、応答内容に対して、識別番号等の識別子を付与しておき、この識別子を使用して応答テーブルを構成してもよい。
【００２１】
次に、図１に示す無線タグ１と無線タグ管理装置２の基本動作を説明する。初めに、無線タグ１の動作モードを変更する動作を説明する。無線タグ１は、初期状態では「ノーマルモード」に設定されているものとする。まず、使用者は、入力部２６よりモード変更コマンドを入力する。このモード変更コマンドには、「固定ＩＤ」、「固定パスワード」、「プライベートＩＤ」、「プライベートパスワード」、「動作モード（変更したい動作モードで、例えば、サイレントモード）」が含まれる。このうち、「固定ＩＤ」、「固定パスワード」、「プライベートＩＤ」、「プライベートパスワード」は、使用者が予め知っている情報である。続いて、情報処理部２５は、モード変更コマンドを情報書き込み部２４へ通知する。情報書き込む部２４は、通信部２１を介して、このモード変更コマンドを送信する。このモード変更コマンドは、通信部１１を介して、情報書き込み部１６が受信する。
【００２２】
次に、情報書き込み部１６は、受信したモード変更コマンドに含まれる「固定ＩＤ」、「固定パスワード」、「プライベートＩＤ」、「プライベートパスワード」が、記憶部１４内に記憶されている固定ＩＤ１４ａ、固定パスワード１４ｂ、プライベートＩＤ１４ｄ、プライベートパスワード１４ｅと完全に一致するか否かを判定する。この判定の結果、完全一致していた場合、情報書き込み部１６は、受信したモード変更コマンドに含まれる「動作モード」の内容を記憶部１４へ書き込むとともに、モード変更コマンドが正常終了したことを通信部１１を介して、無線タグ管理装置２へ送信する。これにより、記憶部１４内の動作モード１４ｃの内容が指定された動作モード（例えば、サイレントモード）に置き換わる。一方、受信したモード変更コマンドに含まれる情報と記憶部１４に記憶されている情報とが完全に一致しなかった場合、情報書き込み部１６は、モード変更コマンドを実行することができなかったことを通信部１１を介して、無線タグ管理装置２へ送信する。
【００２３】
次に、無線タグ管理装置２の情報書き込み部２４は、モード変更コマンドの実行結果を通信部２１を介して受信し、情報処理部２５へ通知する。情報処理部２５は、モード変更コマンドの実行結果に基づいて、所定の処理を行う。
【００２４】
次に、無線タグ１内に記憶されるプライベートＩＤ１４ｄ、プライベートパスワード１４ｅの設定・変更動作を説明する。まず、使用者は、入力部２６よりプライベート情報変更コマンドを入力する。このプライベート情報変更コマンドには、「固定ＩＤ」、「固定パスワード」、「プライベートＩＤ」、「プライベートパスワード」、「新たなプライベートＩＤ」、「新たなプライベートパスワード」が含まれる。このうち、「固定ＩＤ」、「固定パスワード」、「プライベートＩＤ」、「プライベートパスワード」は、使用者が予め知っている情報である。続いて、情報処理部２５は、プライベート情報変更コマンドを情報書き込み部２４へ通知する。情報書き込む部２４は、通信部２１を介して、このプライベート情報変更コマンドを送信する。このプライベート情報変更コマンドは、通信部１１を介して、情報書き込み部１６が受信する。
【００２５】
次に、情報書き込み部１６は、受信したプライベート情報変更コマンドに含まれる「固定ＩＤ」、「固定パスワード」、「プライベートＩＤ」、「プライベートパスワード」が、記憶部１４内に記憶されている固定ＩＤ１４ａ、固定パスワード１４ｂ、プライベートＩＤ１４ｄ、プライベートパスワード１４ｅと完全に一致するか否かを判定する。この判定の結果、完全一致していた場合、情報書き込み部１６は、受信したプライベート情報変更コマンドに含まれる「新たなプライベートＩＤ」、「新たなプライベートパスワード」の内容を記憶部１４へ書き込むとともに、プライベート情報変更コマンドが正常終了したことを通信部１１を介して、無線タグ管理装置２へ送信する。これにより、記憶部１４内のプライベートＩＤ１４ｄ、プライベートパスワード１４ｅの内容が指定された内容に置き換わる。一方、受信したプライベート情報変更コマンドに含まれる情報と記憶部１４に記憶されている情報とが完全に一致しなかった場合、情報書き込み部１６は、プライベート情報変更コマンドを実行することができなかったことを通信部１１を介して、無線タグ管理装置２へ送信する。
【００２６】
次に、無線タグ管理装置２の情報書き込み部２４は、プライベート情報変更コマンドの実行結果を通信部２１を介して受信し、情報処理部２５へ通知する。情報処理部２５は、プライベート情報変更コマンドの実行結果に基づいて、所定の処理を行う。
【００２７】
次に、質問コマンドに対して応答を返す動作を説明する。まず、情報処理部２５は、入力部２６またはインターネット接続端末からの指示に基づいて、質問送信部２２に対して質問コマンド送信を指示を出す。これを受けて、質問送信部２２は、図２に示す３つの質問コマンドのうちいずれかの質問コマンドを通信部２１を介して送信する。この質問コマンドは通信部１１を介して、質問受信部１２が受信する。これを受けて、質問受信部１２は、受信した質問コマンドを応答部１３へ通知する。
【００２８】
応答部１３は、質問コマンドを受けた時点で、記憶部１４に記憶されている動作モード１４ｃを読み出す。そして、応答部１３は、応答テーブル１５から、読み出した動作モード（サイレント、プライベート、ノーマルのいずれか）と質問コマンドとで特定される応答内容を読み出す。
【００２９】
次に、応答部１３は、読み出した応答内容に基づいて、応答を返す。ただし、「何も返さない」という応答内容であった場合は、応答しないことを質問受信部１２へ通知する。これを受けて、質問受信部１２は、直前に受けた質問コマンドの応答を受け付ける時間のタイムアウトになるまで新たな質問コマンドを受け付けないようにする。また、「はい」を返す場合、応答部１３は、応答を受け付ける時間内に「はい」の応答を無線タグ管理装置２に対して返す。また、固定ＩＤやプライベートＩＤを返す必要がある場合、応答部１３は、記憶部１４に記憶されている固定ＩＤ１４ａまたはプライベートＩＤ１４ｄを読み出して、これを無線タグ管理装置２に対して応答する。
【００３０】
なお、モード変更コマンドとプライベート情報変更コマンドは、電波を遮蔽することができるシールドエリア内で行うことが望ましい。
【００３１】
無線タグ１の応答は、通信部２１を介して、応答受信部２３が受信する。そして、応答内容を情報処理部２５へ通知する。一方、質問送信部２２が質問を送信してから、一定時間経過しても応答が返って来ない場合、応答受信部２３は、応答がないことを情報処理部２５へ通知する。
【００３２】
次に、図３を参照して、無線タグ１と無線タグ管理装置２の使用例を説明する。
＜使用例１（物の管理）＞
無線タグ１が取り付けられた商品を販売する店舗においては、ノーマルモードで動作し、商品管理処理を行う。そして、消費者が、この商品を購入した際に、店舗に設置されている無線タグ管理装置２によって無線タグ１内の記憶部１４にプライベートＩＤ１４ｄとプライベートパスワード１４ｅを設定するとともに、動作モードをノーマルモードからサイレントモードへと変更する。また、店舗の店員は、消費者に対して、設定したプライベートＩＤとプライベートパスワードの内容と、固定ＩＤ及び固定パスワードを伝える。
【００３３】
次に、消費者は、商品購入後自分用のプライベートＩＤとプライベートパスワードを再設定する。そして、消費者の自宅内においては、無線タグ１の動作モードをサイレントモードからプライベートモードへと変更し、設定したプライベートＩＤを使用してこの商品の管理を行う。また、購入した商品を自宅内から自宅外へ持ち出す場合、必要に応じて、プライベートＩＤとプライベートパスワードを再設定し、動作モードをプライベートモードからサイレントモードへと変更する。
【００３４】
このようにすることにより、公共の場所においては、固定ＩＤを読み取られることを防止することができるとともに、自宅内においても固定ＩＤとは異なるプライベートＩＤによって管理するようにしたため、どのような商品が自宅内にあるかを他人に知られることを防止することができる。また、必要に応じて、プライベートＩＤを変更するようにしたため、プライベートＩＤと消費者との関係を他人に知られることを防止することが可能となる。
【００３５】
＜使用例２（忘れ物探索）＞
無線タグ１が取り付けられた物品を持参して百貨店等に外出した際に、この物品を落としたり、置き忘れたような場合において、物品所有者は百貨店に対して、物品に取り付けられた無線タグ１のプライベートＩＤを伝える。そして、百貨店の店舗内に設けられている全ての無線タグ管理装置２から「プライベートＩＤは○○ですか？」の質問コマンドを送信し、応答が返ってきた無線タグ管理装置２の周辺を調べ物品を回収する。
【００３６】
このようにして、紛失物の探索を行うことができる。このとき、物品所有者から伝えられたプライベートＩＤを持つ物品が百貨店内にいる者に知られてしまう可能性があるが、プライベートＩＤを変更することで、物品を特定されることを防止することができる。また、プライベートＩＤだけでは、物品が何であるかを知ることはできないために、プライバシを保護することも可能となる。また、仮に同一のプライベートＩＤが設定された無線タグ１が２つ以上あったとしても、実際に物品を見ることで識別することは可能である。
【００３７】
＜使用例３（物品の廃棄、リサイクル）＞
無線タグ１が取り付けられた物品を廃棄する場合、廃棄する物品を無線タグ管理装置２が設置されているごみ箱に入れる。無線タグ管理装置２は、廃棄された物品に取り付けられた無線タグ１からプライベートＩＤを読み取る。そして、情報処理部２５は、無線タグ１から読み出したプライベートＩＤに対応する固定ＩＤ及び属性情報をインターネット接続端末Ｔ内のデータベースから読み出し、関連するごみ回収業者あるいはリサイクル業者を調べ、対応する業者が存在しない場合は、サイレントモードに変更する。また、無線タグ１内のプライベートＩＤとプライベートパスワードを変更するとともに、インターネット接続端末Ｔを介して、関連するごみ回収業者あるいはリサイクル業者に対して、無線タグ１に関する情報を伝える。
このようにすることにより、ごみの中身を他人に知られることを防止することができるともに、ごみ回収業者あるいはリサイクル業者はごみの中身を判別することができる。
【００３８】
以上説明したように、無線タグ内に暗号関数やハッシュ関数を組み込む必要がないため、無線タグ１の構成を簡単にすることができる。また、書き換え可能なプライベートＩＤを内部に記憶するようにし、公になるＩＤをプライベートＩＤとしたため、プライバシの保護を確実に行うことができる。また、動作を制限する動作モードを設けたため、無線タグ１内部の情報を不正利用することを防止することができる。
【００３９】
なお、図１に示す無線タグ管理装置２は、インターネット接続可能な携帯電話端末やインターネット接続端末Ｔ内に組み込まれていてもよい。
【００４０】
また、図１における各処理部の機能を実現するためのプログラムをコンピュータ読み取り可能な記録媒体に記録して、この記録媒体に記録されたプログラムをコンピュータシステムに読み込ませ、実行することにより無線タグ管理処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４２】
【図１】本発明の一実施形態の構成を示すブロック図である。
【図２】図１に示す応答テーブル１５のテーブル構造を示す説明図である。
【図３】図１に示す装置の使用例の構成を示すブロック図である。
【符号の説明】
【００４３】
１・・・無線タグ、
１１・・・通信部、
１２・・・質問受信部、
１３・・・応答部、
１４・・・記憶部、
１５・・・応答テーブル、
１６・・・情報書き込み部、
２・・・無線タグ管理装置、
２１・・・通信部、
２２・・・質問送信部、
２３・・・応答受信部、
２４・・・情報書き込み部、
２５・・・情報処理部、
２６・・・入力部
【図１】
0004644863.tif 000002
【図２】
0004644863.tif 000003
【図３】
0004644863.tif 000004